(57)【要約】【課題】  携帯電話システムの屋外無線基地局として使用される通信機器通信機器に関し、経済的な構成で、高所での設置作業を容易且つ安全に行えるようにする。【解決手段】  通信機器をAMP部(送受信増幅部)とMDE部(変復調部)とに２分割し、各部をそれぞれAMP部筐体21,MDE部筐体10に収容する。MDE部筐体10は、装柱金具セット６等を用いてアンテナポール４に固定する。AMP部筐体21とMDE部筐体10とを一体化する際には、先ずAMP部筐体21の背面に固定されている上部締結金具22を、MDE部筐体10前面の開口部23に挿入する。これにより、開口部23底面の突起24と、上部締結金具22のガイド孔26とが嵌合し、AMP部筐体21の落下を防止する。その後、ボルト29により上部締結金具22を開口部23底面に固定し、更に、MDE部筐体10に固定されている下部締結金具19を、ボルト31を用いてAMP部筐体21の背面下側の取付け面32に固定する。【選択図】      図４
2005094667.tif 000002
【特許請求の範囲】
【請求項１】
通信機器を送受信増幅部と変復調部とに２分割した際の前記送受信増幅部を収容した送受信増幅部筐体と、前記変復調部を収容した変復調部筐体とから構成され、
前記送受信増幅部筐体の背面に、略Ｌ字状の上部締結部材を、その一辺が前記背面に対してほぼ垂直となるように取付ける上部締結部材取付け部を複数有し、
前記変復調部筐体の前面の、前記上部締結部材取付け部と対向する位置に、前記上部締結部材取付け部に取り付けられた上部締結部材の一辺が挿入される開口部を有し、
前記変復調部筐体の背面に、装柱部材が取付けられる装柱部材取付け部を有し、
前記開口部の底面に、突起とネジ孔とを有し、
前記上部締結部材の前記開口部に挿入される辺の前記突起と対応する部分に前記突起と嵌合するガイド孔を有し、前記ネジ孔と対応する部分に上下方向に連通するボルト挿入用の孔を有することを特徴とする通信機器。
【請求項２】
請求項１記載の通信機器において、
前記送受信増幅部筐体の背面に、装柱部材が取り付けられる装柱部材取付け部を有することを特徴とする通信機器。
【請求項３】
請求項２記載の通信機器において、
前記変復調部筐体の上面は、開閉可能なサンシェードにより構成されていることを特徴とする通信機器。
【請求項４】
請求項３記載の通信機器において、
前記送受信増幅部筐体は、その前面にメンテナンス扉を有し、
前記変復調部筐体は、その側面にメンテナンス扉を有することを特徴とする通信機器。
【請求項５】
通信機器を送受信増幅部と変復調部とに２分割した際の前記送受信増幅部を収容した送受信増幅部筐体と、前記変復調部を収容した変復調部筐体とから構成され、
前記変復調部筐体の背面に、略Ｌ字状の上部締結部材を、その一辺が前記背面に対してほぼ垂直となるように取付ける上部締結部材取付け部を複数有し、
前記送受信増幅部筐体の前面の、前記上部締結部材取付け部と対向する位置に、前記上部締結部材取付け部に取り付けられた上部締結部材の一辺が挿入される開口部を有し、
前記開口部の底面に、突起とネジ孔とを有し、
前記上部締結部材の前記開口部に挿入される辺の前記突起と対応する部分に前記突起と嵌合するガイド孔を有し、前記ネジ孔と対応する部分に上下方向に連通するボルト挿入用の孔を有することを特徴とする通信機器。
【発明の詳細な説明】
【技術分野】
【０００１】
本発明は、携帯電話システムの屋外無線基地局として使用される通信機器に関し、特に、設置作業を容易に行うことが可能な通信機器に関する。
【背景技術】
【０００２】
携帯電話システムの屋外無線基地局として使用される通信機器は、一般にアンテナが取り付けられたポールや鉄塔などに固定して使用するため、高所での設置作業が必要になる。一方、屋外無線基地局用の通信機器は、年々、小型化の傾向にあるが、それでも質量は数十Kgに及ぶ。このため、通信機器の設置作業は、非常に困難なものとなる。即ち、質量の大きい通信機器を高所に持ち上げ、そこでポールなどに固定しなければならないため、設置作業は非常に困難なものとなる。
【０００３】
ところで、通信機器の設置作業を容易にするため、通信機器を複数の部分に分割し、各部をそれぞれ別の筐体に収容するということが考えられる。このようにすることにより、ハンドリングが容易になり、設置作業を容易に行うことが可能になる。
【０００４】
通信機器を複数の部分に分割する従来の技術としては、例えば、次のような技術が知られている（例えば、特許文献１、２参照）。
【０００５】
特許文献１に記載されている従来の技術は、通信機器をアンテナが連結された高周波部とそれ以外の部分とに分割し、高周波部およびそれ以外の部分をそれぞれ高周波部筐体および主筐体に収容するようにしている。高周波部筐体と主筐体とは、留め金により着脱自在になっており、両者を分離した場合は、ケーブルによって両者を接続できるようになっている。
【０００６】
また、特許文献２に記載されている従来の技術は、通信機器を冷却部とそれ以外の部分とに分割し、冷却部およびそれ以外の部分をそれぞれ冷却部筐体および本体筐体に収容するようにしている。冷却部筐体は、横から見た時の形状が略Ｌ字状になっており、本体筐体を支持する台となる構造を持っている。通信機器の設置作業時、冷却部筐体は金属バンドなどによってポールに固定され、本体筐体は、冷却部筐体によって構成されるＬ字型台座に載せる形で組み立てられ、冷却部筐体と一体化される。
【特許文献１】実開昭５８−１４９８３１号公報
【特許文献２】特開２００２−９４５５号公報
【発明の開示】
【発明が解決しようとする課題】
【０００７】
ところで、高所で設置作業を行う場合には、筐体落下を防ぐことが安全上重要になる。しかし、特許文献１に記載されている従来の技術は、この点については、全く考慮されていない。
【０００８】
一方、特許文献２に記載されている従来の技術は、冷却部筐体の形状を略Ｌ字状にし、そのＬ字型台座に本体筐体を載せる形で組み立てを行っているので、本体筐体が落下する危険性を極めて少ないものにすることができる。しかし、筐体形状を略Ｌ字状にすることが必要になるため、コストがかかるという問題がある。
【０００９】
そこで、本発明の目的は、経済的な構成で、高所での設置作業を容易且つ安全に行うことができる通信機器を提供することにある。
【課題を解決するための手段】
【００１０】
本発明にかかる第１の通信機器は、
通信機器を送受信増幅部と変復調部とに２分割した際の前記送受信増幅部を収容した送受信増幅部筐体と、前記変復調部を収容した変復調部筐体とから構成され、
前記送受信増幅部筐体の背面に、略Ｌ字状の上部締結部材を、その一辺が前記背面に対してほぼ垂直となるように取付ける上部締結部材取付け部を複数有し、
前記変復調部筐体の前面の、前記上部締結部材取付け部と対向する位置に、前記上部締結部材取付け部に取り付けられた上部締結部材の一辺が挿入される開口部を有し、
前記変復調部筐体の背面に、装柱部材が取付けられる装柱部材取付け部を有し、
前記開口部の底面に、突起とネジ孔とを有し、
前記上部締結部材の前記開口部に挿入される辺の前記突起と対応する部分に前記突起と嵌合するガイド孔を有し、前記ネジ孔と対応する部分に上下方向に連通するボルト挿入用の孔を有することを特徴とする。
【００１１】
この構成によれば、送受信増幅部筐体の背面に固定された上部取付け部材を、変復調部筐体の前面に設けられた開口部に挿入することにより、開口部の底面に設けられた突起に、上部締結部材に設けられているガイド孔が嵌合するので、作業者が送受信増幅部筐体から手を離しても、送受信増幅部筐体の落下を防ぐことができる。
【００１２】
また、本発明にかかる第２の通信機器は、送受信増幅部筐体を単独でもアンテナポール等に設置できるようにするため、第１の通信機器において、
前記送受信増幅部筐体の背面に、装柱部材が取り付けられる装柱部材取付け部を有する。
【００１３】
また、本発明にかかる第３の通信機器は、第２の通信機器において、
前記変復調部筐体の上面は、開閉可能なサンシェードにより構成されていることを特徴とする。
【００１４】
更に、本発明にかかる第４の通信機器は、メンテナンスを容易にするため、第３の通信機器において、
前記送受信増幅部筐体は、その前面にメンテナンス扉を有し、
前記変復調部筐体は、その側面にメンテナンス扉を有することを特徴とする。
【００１５】
また、本発明にかかる第５の通信機器は、経済的な構成で、高所での設置作業を容易且つ安全に行えるようにするため、
通信機器を送受信増幅部と変復調部とに２分割した際の前記送受信増幅部を収容した送受信増幅部筐体と、前記変復調部を収容した変復調部筐体とから構成され、
前記変復調部筐体の背面に、略Ｌ字状の上部締結部材を、その一辺が前記背面に対してほぼ垂直となるように取付ける上部締結部材取付け部を複数有し、
前記送受信増幅部筐体の前面の、前記上部締結部材取付け部と対向する位置に、前記上部締結部材取付け部に取り付けられた上部締結部材の一辺が挿入される開口部を有し、
前記開口部の底面に、突起とネジ孔とを有し、
前記上部締結部材の前記開口部に挿入される辺の前記突起と対応する部分に前記突起と嵌合するガイド孔を有し、前記ネジ孔と対応する部分に上下方向に連通するボルト挿入用の孔を有することを特徴とする。
【発明の効果】
【００１６】
本発明の第１の効果は、経済的な構成で、高所での設置作業を容易且つ安全に行うことが可能になるということである。
【００１７】
その理由は、送受信増幅部筐体の背面に固定された上部締結部材を、変復調部筐体の前面に設けられた開口部に挿入することにより、開口部の底面に設けられた突起に、上部取付け部材に設けられているガイド孔が嵌合し、その落下を防止する構造となっているからである。つまり、送受信増幅部筐体に上部締結部材の取付け部を設け、変復調部筐体に開口部を設けるだけで良いので、筐体の横から見た形状をＬ字状にしなければならなかった従来に技術に比較してコストを抑えることが可能になる。
【００１８】
本発明の第２の効果は、送受信増幅部筐体とアンテナ間のケーブルによる電力ロスを少なくするために送受信増幅部筐体をアンテナ近傍に設置し、保守を容易にするために変復調部筐体をアンテナポールの下の方に設置するというように、送受信増幅部筐体と変復調部筐体とを分離した状態で設置できるということである。
【００１９】
その理由は、送受信増幅部筐体及び変復調部筐体の背面に、装柱部材が取付けられる装柱部材取付け部を有しているからである。
【発明を実施するための最良の形態】
【００２０】
次に本発明の実施の形態について図面を参照して詳細に説明する。
【００２１】
図１〜図３は、本発明の実施の形態にかかる通信機器のそれぞれ異なる設置例を示した図である。各図を参照すると本実施の形態の通信機器は、ＡＭＰ部装置（送受信増幅部装置）１と、ＭＤＥ部装置（変復調部装置）２とから構成されている。ＡＭＰ部装置１とＭＤＥ部装置２とは、光ケーブル５によって接続され、光ケーブル５を介して信号をやり取りするようになっている。
【００２２】
ＡＭＰ部装置１は、通信機器をＡＭＰ部とＭＤＥ部とに２分割した際の、ＡＭＰ部を筐体（ＡＭＰ部筐体）に収容することにより構成したものである。また、ＭＤＥ部装置２は、上記ＭＤＥ部をＡＭＰ部とは別の筐体（ＭＤＥ部筐体）に収容することにより構成したものである。ＡＭＰ部装置１は、主に信号の送受信処理や増幅処理を行い、ＭＤＥ部装置２は、主に送信信号に対する変調処理や受信信号に対する復調処理を行う。
【００２３】
図１は、ＡＭＰ部装置１とＭＤＥ部装置２とを一体化した状態（仮想一体型通信機器とした状態）で、アンテナ部装置（ＡＮＴ部装置）３を支持するアンテナポール４に設置した場合を示している。
【００２４】
図２は、ＡＭＰ部装置１とＭＤＥ部装置２とを分離した状態で、アンテナポール４に設置した場合を示している。この例では、ＡＭＰ部装置１とＡＮＴ部装置３との間の距離を短くし、ＡＭＰ部装置１とＡＮＴ部装置３間のケーブルによる電力ロスを少なくするため、ＡＭＰ部装置１をアンテナポール４の上部に設置するようにしている。また、ＭＤＥ部装置２は、その保守作業を容易にするためにアンテナポール４の下部に設置している。
【００２５】
図３は、ＡＭＰ部装置１とＭＤＥ部装置２とを分離し、ＡＭＰ部装置１をアンテナポール４に設置し、ＭＤＥ部装置２を遠隔地に設置した場合を示している。
【００２６】
図４及び図５は、それぞれ図１に示した仮想一体型通信機器の組立分解斜視図及び断面構造詳細図であり、以下、図４及び図５を参照して仮想一体型通信機器について説明する。
【００２７】
ＡＭＰ部装置１のＡＭＰ部筐体２１の形状は、ほぼ直方体となっており、その背面上側には、上部締結金具２２を固定するための取付け部が２箇所に設けられている。また、背面下側には、下部締結金具１９を固定するための取付け面３２が２箇所に設けられている。
【００２８】
上部締結金具２２の形状は、Ｌ字状になっており、互いに直交する２辺の内の一辺には、上部締結金具２２をＡＭＰ部筐体２１に固定するためのボルト２７の挿入孔が設けられており、他辺には、上部締結金具２２をＭＤＥ部筐体１０に固定するためのボルト２９の挿入孔と、ガイド孔２６とが設けられている。ガイド孔２６は、後述するＭＤＥ部筐体１０に設けられた突起２４と嵌合し、設置作業時におけるＡＭＰ部筐体２１の落下を防止する。
【００２９】
下部締結金具１９の形状は、Ｌ字状になっており、その端部には、下部締結金具１９をＡＭＰ部筐体２１に固定するためのボルト３１と螺合するネジ孔が設けられている。また、互いに直交する２辺の内の一辺には、下部締結金具１９をＭＤＥ部筐体１０に固定するためのボルト２０を挿入する孔が設けられている。
【００３０】
ＭＤＥ部装置２のＭＤＥ部筐体１０の形状は、ほぼ直方体になっており、その前面上側には、開口部２３が２箇所に設けられている。この２つの開口部２３は、ＡＭＰ部筐体２１の背面上側に設けられた上部締結金具２２の取付け部と対向する位置に設けられている。開口部２３の底面には、突起２４とネジ孔２５とが設けられている。突起２４は、開口部２３に上部締結金具２２の一辺が挿入された際、上部締結金具２２に設けられたガイド孔２６と嵌合し、ＡＭＰ部筐体２１の落下を防止する。
【００３１】
また、ＭＤＥ部筐体２１の前面下側には、取付け部１８が２箇所に設けられている。この取付け部１８には、ボルト２０と螺合するネジ孔が設けられており、このネジ孔とボルト２０によって下部締結金具１９が取付け部１８に固定される。
【００３２】
ＭＤＥ部筐体１０の上面は、開閉自在な上部サンシェード３０となっている。
【００３３】
ＭＤＥ部筐体１０の背面上側には、上掛け金具１２をボルト１５によって固定するための取付け部１１が設けられ、背面下側には、下掛け金具１７をボルト１５によって固定するための取付け部１６が設けられている。
【００３４】
上掛け金具１２は、金属バンド７によってアンテナポール４に共締めされた装柱金具セット６に掛止される。また、下掛け金具１７は、金属バンド７によりアンテナポール４に共締めされる。
【００３５】
次に、仮想一体型通信機器の設置作業について説明する。
【００３６】
先ず、金属バンド７及びボルトナット８を使用して装柱金具セット６をアンテナポール４に固定（共締め）する。装柱金具セット６は、３つの平面と、アンテナポール４の形状に合った１つの湾曲面とから構成されており、湾曲面と接する２つの面には金属バンド７を通すための溝が設けられている。この２つの溝に金属バンド７を通した状態で、金属バンド７をアンテナポール４に巻き付け、ボルトナット８で締め付けることにより、装柱金具セット６をアンテナポール４に固定する。
【００３７】
次に、ＭＤＥ部筐体１０の背面上側の取付け部１１に、ボルト１５を用いて上掛け金具１２を固定すると共に、背面下側の取付け部１６に、ボルト１５を用いて下掛け金具１７を固定する。更に、ＭＤＥ部筐体１０の前面下側に設けられた２箇所の取付け部１８に、下部締結金具１９をボルト２０を用いて固定する。
【００３８】
その後、アンテナポール４に固定された装柱金具セット６に、ＭＤＥ部筐体１０の背面に固定された上掛け金具１２のフック部（図６参照）を掛ける。これにより、ＭＤＥ部筐体１０は、上掛け金具１２によって装柱金具セット６に掛止された状態となるので、作業員がＭＤＥ部筐体１０から手を離しても、ＭＤＥ部筐体１０が落下することはない。
【００３９】
次に、ＭＤＥ部筐体１０の背面下側の取付け部１６に固定されている下掛け金具１７を、金属バンド７を用いてアンテナポール４に固定する。以上の作業で、ＭＤＥ部筐体１０がアンテナポール４に固定される。
【００４０】
次に、ＡＭＰ部筐体２１の背面上側に設けられた２箇所の取付け部に、それぞれボルト２７を用いて上部締結金具２２を固定する。このとき、上部締結金具２２のガイド孔２６が設けられた辺は、ＡＭＰ部筐体２１の背面と直交する状態となる。
【００４１】
その後、ＡＭＰ部筐体２１の背面上側に固定されている２個の上部締結金具２２の、背面に対して直交している辺を、ＭＤＥ部筐体１０の前面上側に設けられている２個の開口部２３にそれぞれ挿入する。その際、上記辺に設けられているガイド孔２６が、開口部２３底面に設けられている突起２４と嵌合するようにする。これにより、ＡＭＰ部筐体２１は、上部締結金具２２及び開口部２３によってＭＤＥ部筐体１０に掛止された状態となるので、作業員がＡＭＰ部筐体２１から手を離してもＡＭＰ部筐体２１が落下することはない。
【００４２】
その後、ＭＤＥ部筐体１０の上面を構成する上部サンシェード３０を開け、ボルト２９及びネジ孔２５を用いて、上部締結金具２２をＭＤＥ部筐体１０に固定する。固定した後、上部側サンシェード３０を閉じると締結部は外から見えなくなる。
【００４３】
そして、最後に、ＭＤＥ部筐体１０の取付け部１８に固定されている下部締結金具１９を、ボルト３１を用いてＡＭＰ部筐体２１の取付け面３２に固定する。以上の設置作業により、図１に示すような仮想一体型通信機器が、アンテナポールに取り付けられる。
【００４４】
以上説明したように、ＡＭＰ部筐体２１の背面に固定された上部締結金具２２を、ＭＤＥ部筐体１０の前面に設けられた開口部２３に挿入するだけで、ＡＭＰ部筐体２１の落下を防止することが可能になるので、筐体の形状をＬ字状にすることにより、筐体落下を防止するようにしている従来の技術に比較して、コストを抑えることが可能になる。
【００４５】
次に、図６を参照して図２、図３に示すようにＡＭＰ部装置１を単独でアンテナポール４に固定する場合について説明する。
【００４６】
ＡＭＰ部筐体２１の背面には、図４、図５では図示しなかったが、上掛け金具１２をボルト１５を用いて固定するための取付け部３４と、下掛け金具１７をボルト１５を用いて固定するための取付け部３５とが設けられている。
【００４７】
ＡＭＰ部筐体２１をアンテナポール４に固定する場合、先ず、金属バンド７及びボルトナット８を用いて装柱金具セット６をアンテナポール４に固定する。その後、ボルト１５を用いて上掛け金具１２、下掛け金具１７をそれぞれ取付け部３４、３５に固定する。
【００４８】
次に、アンテナポール４に固定されている装柱金具セット６に、ＡＭＰ部筐体２１の背面上側に固定されている上掛け金具１２のフック部を掛ける。これにより、作業者がＡＭＰ部筐体２１から手を離しても、ＡＭＰ部筐体２１が落下することはない。その後、金属バンド７及びボルトナット８を用いて、ＡＭＰ部筐体２１の背面下側に固定されている下掛け金具１７をアンテナポール４に固定する。
【００４９】
図７は、ＭＤＥ部装置２を単体で設置した場合の外観斜視図である。同図に示すように、ＭＤＥ部装置２を単体で設置する場合には、防塵等を目的として、上部締結金具２２取付け用の前面上側に設けられた開口部２３を覆う化粧板３６をネジ３７で取付ける。
【００５０】
なお、図１〜図７では図示しなかったが、ＡＭＰ部筐体２１及びＭＤＥ部筐体１０にメンテナンス扉を設けるようにしても良い。その場合、図１に示すような、仮想一体型通信機器を構成する場合を考慮して、ＭＤＥ部筐体１０についてはその側面にメンテナンス扉を設け、ＡＭＰ部筐体２１についてはその前面にメンテナンス扉を設けるのが好ましい。
【００５１】
〔他の実施の形態〕
なお、上述した実施の形態は、図１に示すように、アンテナポール４に固定されたＭＤＥ部装置２の前面に、ＡＭＰ部装置１を固定することにより、仮想一体型通信機器を実現するようにしたが、図８に示すように、アンテナポール４に固定されたＡＭＰ部装置１ａの前面に、ＭＤＥ部装置２ａを固定することにより仮想一体型通信機器を実現するようにしても良い。但し、この場合、ＡＭＰ部装置１ａのＡＭＰ部筐体の構成は、前述した実施の形態におけるＭＤＥ部筐体１０と同様の構成となり、ＭＤＥ部装置２ａのＭＤＥ部筐体の構成は、前述した実施の形態におけるＡＭＰ部筐体２１と同様の構成となる。
【図面の簡単な説明】
【００５２】
【図１】ＡＭＰ部装置１とＭＤＥ部装置２とを一体化して（仮想一体型通信機器として）アンテナポール４に設置した場合を示した図である。
【図２】ＡＭＰ部装置１とＭＤＥ部装置２とを分離した状態でアンテナポール４に設置した場合を示した図である。
【図３】ＡＭＰ部装置１をアンテナポール４に設置し、ＭＤＥ部筐体２を遠隔地に設置した場合を示した図である。
【図４】図１に示した仮想一体型通信機器の組立分解斜視図である。
【図５】図１に示した仮想一体型通信機器の断面構造詳細図である。
【図６】ＡＭＰ部装置１を単独でアンテナポール４に設置する場合の説明図である。
【図７】ＭＤＥ部装置２を単独でアンテナポール４に設置する場合の説明図である。
【図８】本発明の他の実施の形態を説明するための斜視図である。
【符号の説明】
【００５３】
１、１ａ…ＡＭＰ部装置
２、２ａ…ＭＤＥ部装置
３…ＡＮＴ部装置
４…アンテナポール
５…光ケーブル
６…装柱金具セット
７…金属バンド
８…ボルトナット
１０…ＭＤＥ部筐体
１１…取付け部
１２…上掛け金具
１５…ボルト
１６…取付け部
１７…下掛け金具
１８…取付け部
１９…下部締結金具
２０…ボルト
２１…ＡＭＰ部筐体
２２…上部締結金具
２３…開口部
２４…突起
２５…ネジ孔
２６…ガイド孔
２７…ボルト
２９…ボルト
３０…上部サンシェード
３１…ボルト
３２…取付け面
３４…取付け部
３５…取付け部
３６…化粧板
３７…ネジ
【図１】
2005094667.tif 000003
【図２】
2005094667.tif 000004
【図３】
2005094667.tif 000005
【図４】
2005094667.tif 000006
【図５】
2005094667.tif 000007
【図６】
2005094667.tif 000008
【図７】
2005094667.tif 000009
【図８】
2005094667.tif 000010